(57)【要約】【課題】登録された対象ファイルの画像出力を制御するにあたり、当該対象ファイルに対応付けられた登録ユーザの特徴情報と当該対象ファイルの画像出力を要求する現ユーザの特徴情報から得られる認証結果に従った制御を実現する。【解決手段】サーバ装置２００は、登録情報に対応した識別データを生成して識別データを携帯端末装置１２０へ提供する。携帯端末装置１２０は、識別データを近接通信で画像出力装置３００へ送信する。画像出力装置３００は、識別データに対応した登録情報に含まれる登録ユーザの特徴情報をサーバ装置２００から取得し、携帯端末装置１２０を利用する現ユーザから特徴情報を取得する。そして、画像出力装置３００は、登録ユーザの特徴情報と現ユーザの特徴情報を比較することにより得られる認証結果に従って、識別データに対応した対象ファイルの画像出力を制御する。【選択図】図１
2020003974.tif 000002
【特許請求の範囲】
【請求項１】
登録ユーザの特徴情報と当該登録ユーザによって登録される対象ファイルを対応付けた登録情報を記憶する手段と、
前記対象ファイルの画像出力を要求する現ユーザの特徴情報を取得する手段と、
前記登録ユーザの特徴情報と前記現ユーザの特徴情報を比較することにより、これら２つの特徴情報同士が予め定められた一致条件を満たすか否かの認証結果を得る手段と、
前記認証結果に従って前記対象ファイルの画像出力を制御する手段と、
を有する画像出力システム。
【請求項２】
サーバ装置と端末装置と画像出力装置を備えた請求項１に記載の画像出力システムにおいて、
前記サーバ装置は、
前記登録情報を記憶する記憶手段と、
前記登録情報に対応した識別データを生成する生成手段と、
前記識別データを前記端末装置へ提供する提供手段と、
を有し、
前記端末装置は、
前記サーバ装置から得られる前記識別データを記憶する記憶手段と、
前記識別データを近接通信で前記画像出力装置へ送信する送信手段と、
を有し、
前記画像出力装置は、
前記識別データを近接通信で前記端末装置から受信する受信手段と、
前記端末装置を利用する前記現ユーザの特徴情報を取得する取得手段と、
前記識別データに対応した前記登録情報に含まれる前記登録ユーザの特徴情報と前記現ユーザの特徴情報を比較することにより得られる前記認証結果に従って、前記対象ファイルの画像出力を制御する制御手段と、
を有する、
ことを特徴とする画像出力システム。
【請求項３】
登録ユーザの特徴情報と当該登録ユーザによって登録される対象ファイルを取得する手段と、
前記特徴情報と前記対象ファイルを対応付けた登録情報を記憶する手段と、
前記登録情報に対応した識別データを生成する手段と、
前記識別データを現ユーザが利用する装置へ送信する手段と、
前記対象ファイルを画像出力装置へ送信する手段と、
を有するサーバ装置。
【請求項４】
登録ユーザの特徴情報と当該登録ユーザによって登録された対象ファイルを対応付けた登録情報の識別データを近接通信で端末装置から受信する手段と、
前記端末装置から受信した識別データに対応した登録情報に含まれる登録ユーザの特徴情報を取得する手段と、
前記端末装置を利用する現ユーザの特徴情報を取得する手段と、
前記対象ファイルを取得する手段と、
前記取得された登録ユーザの特徴情報と現ユーザの特徴情報を比較することにより得られる、これら２つの特徴情報同士が予め定められた一致条件を満たすか否かの認証結果に従って、前記対象ファイルの画像出力を制御する手段と、
を有する画像出力装置。
【請求項５】
コンピュータに、
登録ユーザの特徴情報と当該登録ユーザによって登録される対象ファイルを取得する機能と、
前記特徴情報と前記対象ファイルを対応付けた登録情報を記憶する機能と、
前記登録情報に対応した識別データを生成する機能と、
前記識別データを現ユーザが利用する装置へ送信する機能と、
前記対象ファイルを画像出力装置へ送信する機能と、
を実現させるプログラム。
【請求項６】
コンピュータに、
登録ユーザの特徴情報と当該登録ユーザによって登録された対象ファイルを対応付けた登録情報の識別データを近接通信で端末装置から受信する機能と、
前記端末装置を利用する現ユーザの特徴情報を取得する機能と、
前記対象ファイルを取得する機能と、
前記識別データに対応した前記登録情報に含まれる前記登録ユーザの特徴情報と前記現ユーザの特徴情報を比較することにより得られる、これら２つの特徴情報同士が予め定められた一致条件を満たすか否かの認証結果に従って、前記対象ファイルの画像出力を制御する機能と、
を実現させるプログラム。
【発明の詳細な説明】
【技術分野】
【０００１】
本発明は、画像出力システム、サーバ装置、画像出力装置およびプログラムに関する。
【背景技術】
【０００２】
特許文献１には、登録時と認証時に同じユーザ端末で生体情報を取得することにより、ユーザ認証の精度を向上することができる情報処理システムが記載されている。
【０００３】
また、特許文献２には、ＳＮＳサイトから取得した写真データと携帯端末から受信した写真データとを比較し、これらの写真データが非類似であることを比較結果が示す場合にサービスの利用を禁止する情報処理端末が記載されている。
【先行技術文献】
【特許文献】
【０００４】
【特許文献１】特開２０１７−２２４０９２号公報
【特許文献２】特開２０１７−１１１５４２号公報
【発明の概要】
【発明が解決しようとする課題】
【０００５】
特許文献１，２に記載されるように、ユーザの生体情報や写真データを利用してユーザの認証結果を得る技術が知られている。なお、例えば、サーバ装置などに登録された対象ファイルの画像を画像出力装置などから出力するシステムも知られている。
【０００６】
本発明の目的は、登録された対象ファイルの画像出力を制御するにあたり、当該対象ファイルに対応付けられた登録ユーザの特徴情報と当該対象ファイルの画像出力を要求する現ユーザの特徴情報から得られる認証結果に従った制御を実現することにある。
【課題を解決するための手段】
【０００７】
請求項１に係る発明は、登録ユーザの特徴情報と当該登録ユーザによって登録される対象ファイルを対応付けた登録情報を記憶する手段と、前記対象ファイルの画像出力を要求する現ユーザの特徴情報を取得する手段と、前記登録ユーザの特徴情報と前記現ユーザの特徴情報を比較することにより、これら２つの特徴情報同士が予め定められた一致条件を満たすか否かの認証結果を得る手段と、前記認証結果に従って前記対象ファイルの画像出力を制御する手段と、を有する画像出力システムである。
【０００８】
請求項２に係る発明は、サーバ装置と端末装置と画像出力装置を備えた請求項１に記載の画像出力システムにおいて、前記サーバ装置は、前記登録情報を記憶する記憶手段と、前記登録情報に対応した識別データを生成する生成手段と、前記識別データを前記端末装置へ提供する提供手段と、を有し、前記端末装置は、前記サーバ装置から得られる前記識別データを記憶する記憶手段と、前記識別データを近接通信で前記画像出力装置へ送信する送信手段と、を有し、前記画像出力装置は、前記識別データを近接通信で前記端末装置から受信する受信手段と、前記端末装置を利用する前記現ユーザの特徴情報を取得する取得手段と、前記識別データに対応した前記登録情報に含まれる前記登録ユーザの特徴情報と前記現ユーザの特徴情報を比較することにより得られる前記認証結果に従って、前記対象ファイルの画像出力を制御する制御手段と、を有することを特徴とする画像出力システムである。
【０００９】
請求項３に係る発明は、登録ユーザの特徴情報と当該登録ユーザによって登録される対象ファイルを取得する手段と、前記特徴情報と前記対象ファイルを対応付けた登録情報を記憶する手段と、前記登録情報に対応した識別データを生成する手段と、前記識別データを現ユーザが利用する装置へ送信する手段と、前記対象ファイルを画像出力装置へ送信する手段と、を有するサーバ装置である。
【００１０】
請求項４に係る発明は、登録ユーザの特徴情報と当該登録ユーザによって登録された対象ファイルを対応付けた登録情報の識別データを近接通信で端末装置から受信する手段と、前記端末装置から受信した識別データに対応した登録情報に含まれる登録ユーザの特徴情報を取得する手段と、前記端末装置を利用する現ユーザの特徴情報を取得する手段と、前記対象ファイルを取得する手段と、前記取得された登録ユーザの特徴情報と現ユーザの特徴情報を比較することにより得られる、これら２つの特徴情報同士が予め定められた一致条件を満たすか否かの認証結果に従って、前記対象ファイルの画像出力を制御する手段と、を有する画像出力装置である。
【００１１】
請求項５に係る発明は、コンピュータに、登録ユーザの特徴情報と当該登録ユーザによって登録される対象ファイルを取得する機能と、前記特徴情報と前記対象ファイルを対応付けた登録情報を記憶する機能と、前記登録情報に対応した識別データを生成する機能と、前記識別データを現ユーザが利用する装置へ送信する機能と、前記対象ファイルを画像出力装置へ送信する機能と、を実現させるプログラムである。
【００１２】
請求項６に係る発明は、コンピュータに、登録ユーザの特徴情報と当該登録ユーザによって登録された対象ファイルを対応付けた登録情報の識別データを近接通信で端末装置から受信する機能と、前記端末装置を利用する現ユーザの特徴情報を取得する機能と、前記対象ファイルを取得する機能と、前記識別データに対応した前記登録情報に含まれる前記登録ユーザの特徴情報と前記現ユーザの特徴情報を比較することにより得られる、これら２つの特徴情報同士が予め定められた一致条件を満たすか否かの認証結果に従って、前記対象ファイルの画像出力を制御する機能と、を実現させるプログラムである。
【発明の効果】
【００１３】
請求項１に係る発明により、登録された対象ファイルの画像出力を制御するにあたり、当該対象ファイルに対応付けられた登録ユーザの特徴情報と当該対象ファイルの画像出力を要求する現ユーザの特徴情報から得られる認証結果に従った制御が実現される。
【００１４】
請求項２に係る発明により、識別データを近接通信で遣り取りしない場合よりも、識別データを画像出力装置へ入力するためのユーザ操作の負担が軽減される。
【００１５】
請求項３に係る発明により、対象ファイルの登録情報に対応した識別データを生成して現ユーザが利用する端末装置へ送信するサーバ装置が実現される。
【００１６】
請求項４に係る発明により、対象ファイルに対応付けられた登録ユーザの特徴情報と端末装置を利用する現ユーザの特徴情報から得られる認証結果に従って当該対象ファイルの画像出力を制御する画像出力装置が実現される。
【００１７】
請求項５に係る発明により、対象ファイルの登録情報に対応した識別データを生成して現ユーザが利用する端末装置へ送信する機能がコンピュータで実現される。
【００１８】
請求項６に係る発明により、対象ファイルに対応付けられた登録ユーザの特徴情報と端末装置を利用する現ユーザの特徴情報から得られる認証結果に従って当該対象ファイルの画像出力を制御する機能がコンピュータで実現される。
【図面の簡単な説明】
【００１９】
【図１】画像出力システムの具体例を示す図である。
【図２】サーバ装置２００の具体例を示す図である。
【図３】画像出力装置３００の具体例を示す図である。
【図４】ファイル登録時の処理の具体例を示す図である。
【図５】画像出力装置３００への接近時の処理の具体例を示す図である。
【図６】画像出力時の処理の具体例を示す図である。
【図７】画像出力装置３００が管理する属性情報の具体例を示す図である。
【図８】画像出力装置３００が管理する属性情報の具体例を示す図である。
【発明を実施するための形態】
【００２０】
図１は、本発明の具体的な実施態様の一例を示す図である。図１には、ユーザ装置１００とサーバ装置２００と画像出力装置３００を備えた画像出力システムの具体例が図示されている。図１に示す具体例において、ユーザ装置１００とサーバ装置２００と画像出力装置３００は、例えば通信回線（無線通信と有線通信の少なくとも一方を利用した回線）４００を介して互いに接続されてデータ（情報）を遣り取りする。
【００２１】
ユーザ装置１００は、図１に示す画像出力システムのユーザが利用する装置である。図１には、ユーザ装置１００の具体例として、パーソナルコンピュータなどの情報処理装置１１０とスマートフォンやタブレット端末などの携帯端末装置１２０が図示されている。
【００２２】
サーバ装置２００は、ユーザ（登録ユーザ）からユーザ装置１００を介して登録される対象ファイルを記憶して管理する。また、サーバ装置２００は、対象ファイルの画像出力を要求するユーザ（現ユーザ）からの出力要求に応じて、画像出力装置３００に対象ファイルのデータを出力する。ここで、ユーザを登録ユーザと現ユーザで区別しているのは、現に画像出力を要求しているユーザが、その画像出力に係る対象ファイルを登録したユーザまたは当該対象ファイルの所有者であるとは限らないことによる。
【００２３】
画像出力装置３００は、ユーザ（現ユーザ）から出力要求のあった対象ファイルの画像を出力する。画像出力装置３００の具体例の一つが、複数の画像出力機能（印刷機能とスキャナ機能とコピー機能とファクシミリ（ＦＡＸ）機能などのうちの少なくともいくつかの機能）を備えた複合型の装置である。例えば、画像出力装置３００が複合型の装置であれば、企業や学校などに設置されてその企業や学校の顧客に利用されてもよいし、コンビニエンスストアなどの店舗に設置されて不特定多数の顧客に利用されてもよい。なお、画像出力装置３００は、複数の画像出力機能のうちの１つの機能のみを備えた装置であってもよい。
【００２４】
図２は、サーバ装置２００（図１）の具体例を示す図である。図２に示す具体例において、サーバ装置２００は、データ取得部２１０と登録情報管理部２２０とデータ記憶部２３０と識別データ生成部２４０と送信部２５０を備えている。
【００２５】
データ取得部２１０は、ユーザ（登録ユーザ）の特徴情報とそのユーザによって登録される対象ファイルを取得する。データ取得部２１０は、例えば、登録ユーザが利用するユーザ装置１００から送信され、通信回線４００を経由して得られる特徴情報と対象ファイルを、通信デバイスなどにより受信して取得する。
【００２６】
なお、ユーザの特徴情報とは、例えばユーザに固有で特徴的な情報である。ユーザの特徴情報は、例えば、複数のユーザの中から特定のユーザを一意的に区別するために用いられる。ユーザの特徴情報の具体例には、ユーザの顔画像から得られる特徴量、ユーザの声から得られる特徴量、ユーザの指紋から得られる特徴量、ユーザから得られる生体情報などが含まれる。
【００２７】
登録情報管理部２２０は、データ取得部２１０が取得したユーザ（登録ユーザ）の特徴情報と対象ファイルとを対応付けた登録情報を管理する。登録情報管理部２２０によって管理される登録情報は、データ記憶部２３０に記憶される。
【００２８】
データ記憶部２３０には、登録情報管理部２２０によって管理される登録情報が記憶される。また、データ記憶部２３０には、サーバ装置２００によって利用される様々なデータが記憶されてもよい。なお、データ記憶部２３０は、例えばハードディスクドライブや半導体メモリ等の記憶デバイスを利用して実現されてもよい。
【００２９】
識別データ生成部２４０は、登録情報に対応した識別データを生成する。識別データ生成部２４０は、例えば、複数の登録情報の中から特定の登録情報を一意的に区別するために、その特定の登録情報に固有の識別データを生成する。例えば、データ記憶部２３０に複数の登録情報が記憶され、識別データ生成部２４０によりそれら複数の登録情報の各々に対応した識別データが生成される。そして、１つの登録情報と当該登録情報の識別データが対応付けられて、登録情報管理部２２０によって管理される。
【００３０】
送信部２５０は、識別データをユーザ装置１００へ送信する。送信部２５０は、例えば通信デバイスなどを利用して識別データを送信する。送信された識別データは、例えば通信回線４００を経由してユーザが利用するユーザ装置１００に提供される。提供された識別データは、例えばユーザが利用する携帯端末装置１２０に記憶される。例えば、送信部２５０から通信回線４００を経由してユーザの携帯端末装置１２０に識別データが送信されてもよいし、送信部２５０から通信回線４００を経由してユーザの情報処理装置１１０に識別データが送信され、情報処理装置１１０から携帯端末装置１２０に識別データが提供されてもよい。
【００３１】
また、送信部２５０は、対象ファイルを画像出力装置３００へ送信する。送信部２５０は、例えば通信デバイスなどを利用して対象ファイルのデータを画像出力装置３００へ送信する。送信された対象ファイルのデータは、例えば通信回線４００を経由して画像出力装置３００に提供される。
【００３２】
図２に示す具体例のサーバ装置２００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００３３】
そして、例えば、図２に示すサーバ装置２００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、図２に例示するサーバ装置２００の少なくとも一部の機能がコンピュータにより実現される。そのプログラムは、例えば、インターネット等の通信回線を介してコンピュータ（サーバ装置２００）に提供されてもよいし、光ディスクや半導体メモリやカードメモリ等の記憶媒体に記憶されてコンピュータ（サーバ装置２００）に提供されてもよい。
【００３４】
図３は、画像出力装置３００（図１）の具体例を示す図である。図３に示す具体例において、画像出力装置３００は、近接通信部３１０と属性情報管理部３２０と特徴情報読み取り部３３０と認証処理部３４０とＵＩ部３５０とファイル取得部３６０と画像出力制御部３７０を備えている。
【００３５】
近接通信部３１０は、登録ユーザの特徴情報とその登録ユーザによって登録された対象ファイルを対応付けた登録情報の識別データを携帯端末装置１２０から近接通信で受信する。近接通信部３１０は、サーバ装置２００から送信されて携帯端末装置１２０に記憶された識別データを近接通信で取得する。
【００３６】
なお、近接通信には、例えば数センチメートルから数十メートル程度の距離による通信が含まれる。近接通信部３１０による近接通信の具体例には、例えば、ブルートゥース（登録商標）、ＢＬＥ（Bluetooth Low Energy）、ＮＦＣ（Near Field Communication）などの規格に準拠した通信が含まれる。
【００３７】
属性情報管理部３２０は、近接通信部３１０が受信した識別データに対応した登録情報に含まれる登録ユーザの特徴情報を取得して管理する。属性情報管理部３２０は、例えば通信回線４００を介したデータの遣り取りにより、サーバ装置２００によって管理される複数の登録情報の中から、近接通信部３１０が受信した識別データに対応した登録情報に含まれる登録ユーザの特徴情報を取得する。
【００３８】
特徴情報読み取り部３３０は、対象ファイルの画像出力を要求するユーザの特徴情報を取得する。特徴情報読み取り部３３０は、例えば、携帯端末装置１２０を利用するユーザ（現ユーザ）の特徴情報を取得する。特徴情報読み取り部３３０は、例えば、サーバ装置２００に記憶されて管理される登録ユーザの特徴情報に対応した方式で現ユーザの特徴情報を取得する。
【００３９】
例えば、登録ユーザの特徴情報として、登録ユーザの顔画像から得られる特徴量が管理されていれば、特徴情報読み取り部３３０は、例えばカメラを利用して撮影された現ユーザの顔画像から特徴量を導出する。また、登録ユーザの特徴情報として、登録ユーザの声から得られる特徴量が管理されていれば、特徴情報読み取り部３３０は、例えばマイクを利用して録音された現ユーザの声から特徴量を導出する。なお、登録ユーザの特徴情報として登録ユーザの指紋から得られる特徴量が管理されていれば、現ユーザの指紋から特徴量が導出されてもよいし、登録ユーザの特徴情報として登録ユーザから得られる特定の生体情報が管理されていれば、現ユーザからその特定の生体情報が読み取られてもよい。
【００４０】
認証処理部３４０は、登録ユーザの特徴情報と現ユーザの特徴情報を比較することにより、これら２つの特徴情報同士が予め定められた一致条件を満たすか否かの認証結果を得る。認証処理部３４０は、例えば、属性情報管理部３２０が取得した登録ユーザの特徴情報と、特徴情報読み取り部３３０が取得した現ユーザの特徴情報を比較する。さらに、認証処理部３４０は、例えば、登録ユーザの特徴情報と現ユーザの特徴情報を比較することにより、それら２つの特徴情報同士の類似度を導出してもよい。そして、導出された類似度が予め定められた閾値を超える場合に、認証処理部３４０は、登録ユーザと現ユーザが一致している（同一人物である）とする認証結果を得るようにしてもよい。一方、導出された類似度が予め定められた閾値を超えていない場合には、登録ユーザと現ユーザが一致していない（同一人物ではない）とする認証結果が得られてもよい。
【００４１】
ＵＩ（ユーザインターフェース）部３５０は、画像出力装置３００を利用するユーザのユーザインターフェースとして機能する。ＵＩ部３５０は、例えば、認証処理部３４０により得られた認証結果を表示する。例えば、登録ユーザと現ユーザが一致しているとする認証結果が得られている場合には、現ユーザによる対象ファイルの画像出力を許可することを示す画像が表示されてもよい。また、例えば、登録ユーザと現ユーザが一致していないとする認証結果が得られている場合には、現ユーザによる対象ファイルの画像出力を許可しないことを示す画像が表示されてもよい。
【００４２】
ファイル取得部３６０は対象ファイルを取得する。ファイル取得部３６０は、例えば、通信回線４００を介したデータの遣り取りにより、サーバ装置２００によって管理される複数のファイルの中から、近接通信部３１０が受信した識別データに対応した登録情報に含まれる対象ファイルを取得する。
【００４３】
なお、ファイル取得部３６０は、例えば、登録ユーザと現ユーザが一致しているとする認証結果が得られた場合に対象ファイルを取得し、登録ユーザと現ユーザが一致していないとする認証結果が得られた場合に対象ファイルを取得しないようにしてもよい。また、ファイル取得部３６０は、近接通信部３１０が識別データを受信してから、認証処理部３４０により認証結果が得られる前に、識別データに対応した登録情報に含まれる対象ファイルを取得してもよい。
【００４４】
画像出力制御部３７０は、認証処理部３４０から得られる認証結果に従って、対象ファイルの画像出力を制御する。画像出力制御部３７０は、例えば、登録ユーザと現ユーザが一致しているとする認証結果が得られた場合に対象ファイルの画像出力を許可し、登録ユーザと現ユーザが一致していないとする認証結果が得られた場合に対象ファイルの画像出力を制限する。例えば、登録ユーザと現ユーザが一致していないとする認証結果の場合には、対象ファイルの画像出力を禁止してもよいし、認証のやり直しを勧めるメッセージをＵＩ部３５０に表示させてもよい。
【００４５】
図３に示す具体例の画像出力装置３００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００４６】
そして、例えば、図３に示す画像出力装置３００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、図３に例示する画像出力装置３００の少なくとも一部の機能がコンピュータにより実現される。そのプログラムは、例えば、インターネット等の通信回線を介してコンピュータ（画像出力装置３００）に提供されてもよいし、光ディスクや半導体メモリやカードメモリ等の記憶媒体に記憶されてコンピュータ（画像出力装置３００）に提供されてもよい。
【００４７】
図１に例示する画像出力システム（図２に例示するサーバ装置２００と図３に例示する画像出力装置３００を備える）の全体構成は以上のとおりである。次に、図１の画像出力システムにより実現される処理の具体例について詳述する。なお、図１から図３に示した構成（部分）については、以下の説明において図１から図３の符号を利用する。
【００４８】
図４は、ファイル登録時の処理の具体例を示す図である。画像出力装置３００を利用してファイルの画像（文字や記号のみの画像を含む）を出力しようとするユーザは、まず、画像出力の対象となるファイルを選択してサーバ装置２００への登録を指示する（Ｓ４０１）。ユーザ（登録ユーザ）は、例えば、ユーザ装置１００（情報処理装置１１０または携帯端末装置１２０）を利用し、画像出力の対象となるファイル（対象ファイル）を選択してサーバ２００装置への登録を指示する。
【００４９】
対象ファイルの登録が指示されると、ユーザ装置１００は、登録ユーザの特徴情報を読み取る（Ｓ４０２）。例えば、登録ユーザの特徴情報として、その登録ユーザの顔画像から得られる特徴量を利用する場合には、情報処理装置１１０または携帯端末装置１２０が備えるカメラを利用して撮影されたその登録ユーザの顔画像から特徴量が導出される。また、登録ユーザの特徴情報として、その登録ユーザの声から得られる特徴量を利用する場合には、情報処理装置１１０または携帯端末装置１２０が備えるマイクを利用して録音されたその登録ユーザの声から特徴量が導出される。なお、顔画像の画像データや声の音声データがそのまま特徴情報として利用されてもよい。また、登録ユーザの指紋から得られる特徴量や登録ユーザから得られる生体情報が特徴情報として利用されてもよい。
【００５０】
登録ユーザの特徴情報が得られると、ユーザ装置１００（情報処理装置１１０または携帯端末装置１２０）は、登録ユーザから登録を指示された対象ファイルと登録ユーザの特徴情報とを対応付けた登録情報をサーバ装置２００へ送信する（Ｓ４０３）。そして、ユーザ装置１００から送信された登録情報をサーバ装置２００のデータ取得部２１０が受信する（Ｓ４０４）。
【００５１】
登録情報を受信すると、サーバ装置２００の識別データ生成部２４０がその登録情報に対応した識別データを生成し、サーバ装置２００の登録情報管理部２２０が登録情報と識別データを対応付けて管理する（Ｓ４０６）。
【００５２】
識別データは、携帯端末装置１２０と画像出力装置３００との間で近接通信により遣り取りされるため、近接通信で送受信できるデータサイズとされる。例えば、近接通信としてＢＬＥ（Bluetooth Low Energy）が利用されるのであれば、識別データはＢＬＥで送受信できるデータサイズとされる。また、例えば、オンラインプリントサービスなどで利用されるプリントの予約番号が識別データとして利用されてもよい。なお、近接通信で送受信できるのであれば、ＵＵＩＤ（Universally Unique Identifier）が識別データとして利用されてもよい。
【００５３】
また、登録情報管理部２２０が管理する登録情報は、例えば数時間以内に利用されることが想定されるため、登録情報管理部２２０は、登録情報を登録してから数時間後（又は数日後）にその登録情報を削除するようにしてもよい。
【００５４】
識別データが生成されると、サーバ装置２００の送信部２５０がＳ４０６で生成された識別データをユーザ装置１００へ送信し（Ｓ４０７）、ユーザ装置１００（情報処理装置１１０または携帯端末装置１２０）がその識別データを受信する（Ｓ４０８）。受信した識別データは携帯端末装置１２０に記憶される。そして、登録ユーザが識別データの受信を確認することにより（Ｓ４０９）、図４に例示するファイル登録時の処理が終了する。
【００５５】
サーバ装置２００に登録した対象ファイルを画像出力装置３００で出力しようとするユーザは、その対象ファイルに対応した識別データを記憶した携帯端末装置１２０を携帯して、画像出力装置３００が設置された場所に向かう。
【００５６】
図５は、画像出力装置３００への接近時の処理の具体例を示す図である。携帯端末装置１２０を携帯したユーザ（現ユーザ）が画像出力装置３００に近づくと、その携帯端末装置１２０が画像出力装置３００への接近を検知する（Ｓ５０１）。例えば、携帯端末装置１２０は、画像出力装置３００との間の近接通信により、閾値となる距離まで近づいたことを検知する。なお、閾値となる距離は、例えば、画像出力装置３００との間の通信速度や画像出力装置３００が設置された店舗などの密集の度合いなどに応じて決定されてもよい。
【００５７】
画像出力装置３００への接近を検知すると、携帯端末装置１２０は、自身が記憶している識別データを近接通信で画像出力装置３００へ送信する（Ｓ５０２）。携帯端末装置１２０は、例えば、近接通信によるプッシュ通知で識別データを画像出力装置３００に送信する。そして、画像出力装置３００の近接通信部３１０が、携帯端末装置１２０から送信された識別データを近接通信で受信する（Ｓ５０３）。なお、携帯端末装置１２０と画像出力装置３００との間の近接通信には、例えば、ＢＬＥ（Bluetooth Low Energy）の規格に準拠した通信が利用されてもよい。
【００５８】
携帯端末装置１２０から識別データを取得すると、画像出力装置３００は、その識別データに対応した特徴情報をサーバ装置２００に問い合わせる（Ｓ５０４）。そして、サーバ装置２００は、画像出力装置３００から問い合わせのあった識別データに対応した特徴情報を特定し（Ｓ５０５）、識別データに対応した特徴情報を画像出力装置３００へ送信する（Ｓ５０６）。例えば、サーバ装置２００の登録情報管理部２２０が、データ記憶部２３０に記憶された複数の登録情報の中から、問い合わせのあった識別データに対応した登録情報を探し出し、その登録情報に含まれる登録ユーザの特徴情報をサーバ装置２００の送信部２５０が画像出力装置３００へ送信する。
【００５９】
こうして、画像出力装置３００がサーバ装置２００から登録ユーザの特徴情報を受信して取得することにより（Ｓ５０７）、図５に例示する画像出力装置３００への接近時の処理が終了する。
【００６０】
なお、図５に例示する処理が終了する時点で、ユーザ（現ユーザ）は、画像出力装置３００が設定された場所（店舗など）に到着していなくてもよい。また、図５に例示する処理が終了する時点で、識別データに対応した対象ファイルのデータが画像出力装置３００に提供（ダウンロード）されてもよい。例えば、Ｓ５０６の処理で、識別データに対応した特徴情報と共に、その識別データに対応した対象ファイルが画像出力装置３００へ送信されてもよい。
【００６１】
また、複数の携帯端末装置１２０による過去の利用実績を画像出力装置３００が記憶して管理しておき、現ユーザが利用する携帯端末装置１２０による過去の利用実績がある場合に限って、Ｓ５０６の処理で、特徴情報と共に対象ファイルが画像出力装置３００へ提供されてもよい。
【００６２】
図５に例示する具体例によれば、携帯端末装置１２０を携帯したユーザが画像出力装置３００に接近するだけで画像出力装置３００へ識別データが送信される。そのため、識別データを送信しない場合に比べて、識別データを画像出力装置３００へ入力するためのユーザ操作の負担が軽減される。例えば、画像出力装置３００へ識別データを送信することにより、画像出力装置３００に識別データを入力するためのユーザ操作を完全に無くすようにしてもよい。
【００６３】
図６は、画像出力時の処理の具体例を示す図である。画像出力装置３００が設置された場所（店舗など）に現ユーザが到着すると、現ユーザが画像出力装置３００による対象ファイルの画像出力の操作を開始する（Ｓ６０１）。
【００６４】
画像出力の操作が開始されると、画像出力装置３００が現ユーザの特徴情報を読み取る（Ｓ６０２）。例えば、画像出力装置３００の特徴情報読み取り部３３０が、対象ファイルの画像出力を要求する現ユーザの特徴情報を取得する。特徴情報読み取り部３３０は、例えば、サーバ装置２００に記憶されて管理される登録ユーザの特徴情報に対応した方式で現ユーザの特徴情報を取得する。
【００６５】
例えば、登録ユーザの特徴情報として登録ユーザの顔画像から得られる特徴量が利用されている場合には、現ユーザの特徴情報として、画像出力装置３００が備えるカメラを利用して撮影された現ユーザの顔画像から特徴量が導出される。また、登録ユーザの特徴情報として登録ユーザの声から得られる特徴量が利用されている場合には、現ユーザの特徴情報として、画像出力装置３００が備えるマイクを利用して録音された現ユーザの声から特徴量が導出される。なお、登録ユーザに関する顔画像の画像データや声の音声データがそのまま特徴情報として利用されている場合には、現ユーザに関する顔画像の画像データや声の音声データがそのまま特徴情報として利用されてもよい。
【００６６】
現ユーザの特徴情報が得られると認証処理が実行される（Ｓ６０３）。例えば、画像出力装置３００の認証処理部３４０が、登録ユーザの特徴情報と現ユーザの特徴情報を比較することにより、これら２つの特徴情報同士が予め定められた一致条件を満たすか否かの認証結果を得る。認証処理部３４０は、例えば、属性情報管理部３２０が図５のＳ５０７で取得した登録ユーザの特徴情報と、特徴情報読み取り部３３０が図６のＳ６０２で取得した現ユーザの特徴情報を比較する。そして、認証処理部３４０は、例えば、登録ユーザと現ユーザが一致している（同一人物である）か否か（同一人物ではない）の認証結果を得る。なお、Ｓ６０３の認証処理は例えばサーバ装置２００が実行してもよい。つまり、サーバ装置２００が認証処理部３４０の機能を備えてもよい。
【００６７】
認証結果が得られると、画像出力装置３００のＵＩ部３５０に認証結果が表示される（Ｓ６０４）。例えば、登録ユーザと現ユーザが一致しているとする認証結果が得られている場合には、現ユーザによる対象ファイルの画像出力を許可することを示す画像が表示されてもよい。また、例えば、登録ユーザと現ユーザが一致していないとする認証結果が得られている場合には、現ユーザによる対象ファイルの画像出力を許可しないことを示す画像が表示されてもよい。
【００６８】
そして、登録ユーザと現ユーザが一致しているとする認証結果が得られている場合に、画像出力装置３００は、Ｓ５０３（図５）で取得した識別データに対応した対象ファイルをサーバ装置２００に問い合わせる（Ｓ６０５）。サーバ装置２００は、画像出力装置３００から問い合わせのあった識別データに対応した対象ファイルを特定し（Ｓ６０６）、識別データに対応した対象ファイルと画像出力装置３００へ送信する（Ｓ６０７）。
【００６９】
例えば、サーバ装置２００の登録情報管理部２２０が、データ記憶部２３０に記憶された複数の登録情報の中から、問い合わせのあった識別データに対応した登録情報を探し出し、その登録情報に含まれる対象ファイルのデータをサーバ装置２００の送信部２５０が画像出力装置３００へ送信し、画像出力装置３００のファイル取得部３６０が対象ファイルを受信して取得する。
【００７０】
そして、登録ユーザと現ユーザが一致しているとする認証結果が得られている場合に、現ユーザから画像出力の指示が成されると（Ｓ６０９）、画像出力装置３００が対象ファイルの画像を出力する（Ｓ６１０）。例えば、画像出力の指示として、印刷による出力の指示が成されていれば、画像出力装置３００が対象ファイルの画像を用紙などの媒体に印刷して出力する。こうして、図６に例示する画像出力時の処理が終了する。
【００７１】
図６に例示する具体例では、例えば、携帯端末装置１２０と画像出力装置３００との間の通信接続が省略または簡略化されてもよい。これにより、通信接続を省略または簡略化しない場合に比べて、通信接続のためのユーザ操作の負担が軽減される。
【００７２】
また、図６に例示する具体例によれば、画像出力装置３００が識別データを利用して対象ファイルを取得するため、識別データを利用して対象ファイルを取得しない場合に比べて、対象ファイルを取得するめのユーザ操作の負担が軽減される。もちろん、対象ファイルを取得するめのユーザ操作を無くすようにしてもよい。
【００７３】
さらに、図６に例示する具体例によれば、例えば、登録ユーザの携帯端末装置１２０を当該登録ユーザとは異なる現ユーザが利用すると、登録ユーザと現ユーザが一致していないとする認証結果が得られるため、登録ユーザとは異なる現ユーザによる対象ファイルの不正な画像出力が禁止される。
【００７４】
図７と図８は、画像出力装置３００の属性情報管理部３２０が管理する属性情報の具体例を示す図である。図７と図８には、ユーザ１に関する属性情報が既に属性情報管理部３２０によって管理されており、新たにユーザ２に関する属性情報が取得されるまでの具体例が図示されている。
【００７５】
図７と図８において、識別データは、近接通信によりユーザの携帯端末装置１２０から取得される。特徴情報は、サーバ装置２００から得られる登録ユーザの特徴量である。端末識別子は、登録ユーザが利用する携帯端末装置１２０に固有の識別子である。対象ファイルは、登録ユーザによってサーバ装置２００に登録されたファイルの実体（画像データ）である。
【００７６】
図７（Ａ）には、ユーザ２の識別データを取得する前の属性情報が例示されている。図７（Ａ）に示す具体例において、識別データ「ｘｘｘｘｘｘ」は、ユーザ１の特徴情報（特徴量）と、ユーザ１が利用する携帯端末装置１２０の端末識別子「ｆｆｆｆｆ」と、ユーザ１がサーバ装置２００に登録したファイル１に対応付けられている。また、識別データ「ｙｙｙｙｙｙ」は、ユーザ１の特徴情報（特徴量）と、ユーザ１が利用する携帯端末装置１２０の端末識別子「ｔｔｔｔｔ」と、ユーザ１がサーバ装置２００に登録したファイル２に対応付けられている。
【００７７】
図７（Ｂ）には、ユーザ２の識別データを取得した後の属性情報が例示されている。図７（Ｂ）に示す具体例において、識別データ「ｚｚｚｚｚｚ」は、携帯端末装置１２０を携帯したユーザ２が画像出力装置３００に接近した際に、ユーザ２の携帯端末装置１２０から近接通信で取得される。なお、図７（Ｂ）に示す具体例の時点では、ユーザ２の特徴情報（特徴量）と、ユーザ２が利用する携帯端末装置１２０の端末識別子と、ユーザ２がサーバ装置２００に登録したファイルを、画像出力装置３００が取得していない。
【００７８】
図８（Ａ）には、ユーザ２の特徴情報を取得した後の属性情報が例示されている。図８（Ａ）に示す具体例では、画像出力装置３００が識別データ「ｚｚｚｚｚｚ」に対応した特徴情報をサーバ装置２００に問い合わせて、サーバ装置２００から送信されたユーザ２の特徴情報（特徴量）が取得されている。なお、ユーザ２の特徴情報と共に、ユーザ２が利用する携帯端末装置１２０の端末識別子「ｒｒｒｒｒ」が取得されてもよい。
【００７９】
図８（Ｂ）には、ユーザ２がサーバ装置２００に登録した対象ファイルを取得した後の属性情報が例示されている。図８（Ｂ）に示す具体例では、画像出力装置３００が識別データ「ｚｚｚｚｚｚ」に対応した対象ファイルをサーバ装置２００に問い合わせて、サーバ装置２００から対象ファイルとして送信されたファイル３が取得されている。
【００８０】
なお、例えば、画像出力装置３００が管理する属性情報の中に、ユーザ２による過去の利用実績が含まれている場合には、ユーザ２が再びその画像出力装置３００を利用する可能性が高いと判断して、ユーザ２の特徴情報を取得する時点で、ユーザ２の特徴情報と共に対象ファイルを取得するようにしてもよい。
【００８１】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００８２】
１００  ユーザ装置、１１０  情報処理装置、１２０  携帯端末装置、２００  サーバ装置、２１０  データ取得部、２２０  登録情報管理部、２３０  データ記憶部、２４０  識別データ生成部、２５０  送信部、３００  画像出力装置、３１０  近接通信部、３２０  属性情報管理部、３３０  特徴情報読み取り部、３４０  認証処理部、３５０  ＵＩ部、３６０  ファイル取得部、３７０  画像出力制御部。
【図１】
2020003974.tif 000003
【図２】
2020003974.tif 000004
【図３】
2020003974.tif 000005
【図４】
2020003974.tif 000006
【図５】
2020003974.tif 000007
【図６】
2020003974.tif 000008
【図７】
2020003974.tif 000009
【図８】
2020003974.tif 000010